(57)【特許請求の範囲】
【請求項１】
携帯端末がメールで受信した電子番組表情報を電子番組表表示部にてディスプレイに表示させる方法であって、
前記表示部が、電子番組表情報における各番組のタイトルと日時を含む基本情報を一覧表示する基本情報表示ステップと、
前記基本情報の表示時に番組が選択されれば、前記表示部が通信を伴わずに選択された番組のストーリーや番組概要、出演者、イメージ画像のうち一つ以上の詳細情報を一つの画面内に表示する詳細情報表示ステップ１と、
前記詳細情報の表示時に関連情報の取得操作があれば、前記表示部が通信を伴わずに前記選択された番組の関連情報を一つの画面内に表示する関連情報表示ステップ１と、
前記関連情報の表示時に関連番組が選択されれば、前記表示部が通信を伴わずに前記選択された関連番組の詳細情報を一つの画面内に表示する関連情報表示ステップ２と、
前記詳細情報の表示時にチャプターリストを含む更なる詳細情報がある場合には、前記表示部が通信を利用して取得した前記更なる詳細情報を表示する詳細情報表示ステップ２と、
前記メールで受信した電子番組表情報の中にリンク情報があった場合に、リンク情報が選択されれば、前記表示部が通信を利用して取得した情報を表示する通信利用情報表示ステップと、
を有することを特徴とする電子番組表表示方法。
【発明の詳細な説明】
【技術分野】
【０００１】
本発明は、携帯端末用電子番組表の表示技術に関する。
【背景技術】
【０００２】
テレビやデジタルレコーダーなどにおいて、時間とチャンネルを軸としたマトリクス表示タイプの電子番組表が一般的に用いられている。
【０００３】
一つの番組に対して一つの枠を使った携帯用電子番組表の表示方法は既に携帯電話むけサービスとして存在している(例えば、非特許文献１参照。)。
【０００４】
また、各放送局の携帯電話用サイト等、番組情報を放送局（放送チャンネル別）、時間順に並べた表示方法が存在する。
【非特許文献１】“Ｇガイドモバイル”、[ｏｎｌｉｎｅ]、インターネット＜ＵＲＬ：ｈｔｔｐ：／／ｗｗｗ．ｉｐｇ．ｃｏ．ｊｐ／ｇｇｕｉｄｅ  ｇｇｍ．ｈｔｍｌ＞
【発明の開示】
【発明が解決しようとする課題】
【０００５】
上記技術では、一つの番組に対して、一つの画面、又は一つの情報表示箇所を持っておりその番組の情報しか見ることができなかった。他の情報を見る場合には通信を用いて情報を取得する必要がある。
【０００６】
また、並んでいる順番も日時、放送チャンネル順となっているため、一つの番組から関連する番組を探す場合などはその日時やチャンネルを知る必要がある。
【０００７】
また、関連する情報の選定についてもユーザの嗜好情報などを利用することで、よりユーザ要望に近い情報を表示させることができるようになり、利用者にとってより付加価値の高いサービスを提供するためのシステムを構築することができる。
【課題を解決するための手段】
【０００８】
そこで、上記課題を解決するために、請求項１に記載の発明は、携帯端末がメールで受信した電子番組表情報を電子番組表表示部にてディスプレイに表示させる方法であって、前記表示部が、電子番組表情報における各番組のタイトルと日時を含む基本情報を一覧表示する基本情報表示ステップと、前記基本情報の表示時に番組が選択されれば、前記表示部が通信を伴わずに選択された番組のストーリーや番組概要、出演者、イメージ画像のうち一つ以上の詳細情報を一つの画面内に表示する詳細情報表示ステップ１と、前記詳細情報の表示時に関連情報の取得操作があれば、前記表示部が通信を伴わずに前記選択された番組の関連情報を一つの画面内に表示する関連情報表示ステップ１と、前記関連情報の表示時に関連番組が選択されれば、前記表示部が通信を伴わずに前記選択された関連番組の詳細情報を一つの画面内に表示する関連情報表示ステップ２と、前記詳細情報の表示時にチャプターリストを含む更なる詳細情報がある場合には、前記表示部が通信を利用して取得した前記更なる詳細情報を表示する詳細情報表示ステップ２と、前記メールで受信した電子番組表情報の中にリンク情報があった場合に、リンク情報が選択されれば、前記表示部が通信を利用して取得した情報を表示する通信利用情報表示ステップと、を有することを特徴とする。
【発明の効果】
【００２０】
請求項１に記載の発明によれば、メール受信時のみ通信を利用することで携帯端末に電子番組表情報を表示することが可能となる。
【００２１】
また、通信を伴わずに他の画面への遷移が可能である。
【００２２】
さらに、メール受信時、及び情報サーバから情報を取得するときのみ通信を利用することが可能である。
【００２３】
また、同じ番組の情報を一つの画面内に表示することが可能である。
【００２４】
さらに、表示番組に関連した情報を一つの画面内に表示することが可能である。
【発明を実施するための最良の形態】
【００２５】
本実施形態に用いる携帯端末の構成図を図１に示す。図１に示すように、携帯端末１０はメール受信部１１、メール保存部１２、電子番組表表示部１３、及び通信利用情報取得部１４を有している。
【００２６】
メール受信部１１はメールを受信し、メール保存部１２に保存したメールを電子番組表表示部１３が呼び出して、電子番組表情報をディスプレイに表示する。
【００２７】
メール受信部１１、及びメール保存部１２は携帯電話に既存に組み込まれているメール機能でも実現が可能である。
【００２８】
また、電子番組表内にリンク情報があった場合で、ユーザからこのリンク情報を取得する入力があった場合には、電子番組表表示部１３が通信利用情報取得部１４に外部のサーバへ通信を利用して該当する情報を取得させて、電子番組表表示部１３がディスプレイに取得した情報を表示する。
【００２９】
この携帯端末１０で、メールとして受信した電子番組表情報を電子番組表表示機能にて携帯電話のディスプレイに表示する場合を考える。このときの画面遷移の一例を図２に示す。
【００３０】
図２に示すように、電子番組表表示部１３を起動すると、タイトル、日時といった基本的な情報を一覧画面に表示する（Ｓ１番組一覧表示画面）。利用者はその画面の情報を見て一つの網目（番組）を選択する。
【００３１】
次に、その選択した画面では該当のストーリーや番組概要、出演者、イメージ画像など、番組の詳細情報を表示する（Ｓ２番組選択画面）。
【００３２】
Ｓ２で表示した番組情報にチャプターリスト等の更なる詳細情報がある場合はチャプターリストを表示する（Ｓ３チャプターリスト画面）。
【００３３】
またそのほかに関連情報がある場合には関連情報取得操作を入力することで関連情報表示画面を表示する(Ｓ４)。Ｓ４の画面に表示された関連情報の中から、一つの項目を表示することで関連番組選択画面を表示する(Ｓ６)。Ｓ６の画面レイアウト、項目はＳ２の番組選択画面と同様である可能性もある。
【００３４】
さらに、メールで受信した情報内部に詳細情報ではなく、リンク情報があった場合にはそのリンクを押下することによってＳ５の通信利用画面へ遷移し、通信を利用して取得した情報を表示する。
【００３５】
なお、電子番組表表示部１３は、不揮発性メモリに記録された、ＣＰＵによって実行されるプログラムとして携帯端末に搭載することが可能である。このプログラムをインターネットや電子メールなど、ネットワークを通して提供することも可能である。
【００３６】
このように上記携帯端末によれば、メールで受信する際、及びより詳細な情報を取得する場合以外には通信を利用せず電子番組表を表示することが可能となる。
【００３７】
また、関連情報として一つの番組に紐つけて他の番組の情報を通信を利用することなく閲覧することが可能となる。
【図面の簡単な説明】
【００３８】
【図１】携帯電話の構成図。
【図２】画面遷移の説明図。
【符号の説明】
【００３９】
１０  携帯電話
１１  メール受信部
１２  メール保存部
１３  電子番組表表示部
１４  通信利用情報取得部
【図１】
0004592568.tif 000002
【図２】
0004592568.tif 000003